(57)【特許請求の範囲】
【請求項１】
バックライトを備えた液晶表示部と、この液晶表示部の表示内容を制御すると共にバックライトの点灯を制御する制御部と、制御部に対して操作信号を入力する操作部とを備え、操作部に対する所定の操作による操作信号が制御部に入力されると、制御部は液晶表示部の表面の掃除モードとして、液晶表示部に明部の面積と暗部の面積とがほぼ同じになる模様を表示させ、所定時間毎に明部と暗部とを反転させることを特徴とする液晶表示装置。
【請求項２】
上記模様は縞模様であり、その縞模様が上下方向に移動して見えるようにしたことを特徴とする請求項１に記載の液晶表示装置。
【請求項３】
バックライトを備えた液晶表示部と、この液晶表示部の表示内容を制御すると共にバックライトの点灯を制御する制御部と、制御部に対して操作信号を入力する操作部とを備え、操作部に対する所定の操作による操作信号が制御部に入力されると、制御部は液晶表示部の表面の掃除モードとして、液晶表示部に明部と暗部とからなる縞模様を表示させ、その縞模様を移動させることを特徴とする液晶表示装置。
【発明の詳細な説明】
【技術分野】
【０００１】
本発明は、リモコン装置など、表示部として液晶表示部が用いられている液晶表示装置に関する。
【背景技術】
【０００２】
例えば給湯装置の作動を制御するために台所に設けられている台所リモコンでは、インターホン機能を備えて来訪者を表示するためや、テレビ機能を備え、テレビ画像を表示するため等を目的としてバックライトを備えた液晶表示部を備えたものが知られている。
【０００３】
このように台所に設けられた台所リモコンの液晶表示部は、油煙などに晒され、表面が汚れやすい。特に液晶表示部の表面にタッチセンサを被着させ、タッチセンサを指で押してリモコン操作するものでは、液晶表示部の表面が汚れやすいという不具合が生じる。
【０００４】
タッチセンサ式の液晶表示部の表面を拭き掃除するものとして、掃除モードへ移行するスイッチを液晶表示部の表面に設け、そのスイッチを押し操作すると所定時間、タッチセンサからの入力を受け付けず、その間に液晶表示部の表面を掃除できるようにしたものが知られている（例えば、特許文献１参照）。
【特許文献１】特開２００４−３３４７６２号公報（請求項１）
【発明の開示】
【発明が解決しようとする課題】
【０００５】
液晶表示部の表面に付着する汚れは、静電気で液晶表面全体に吸着される埃が原因となる場合がある。また、上記のように台所等で使用され、あるいはタッチセンサが表面に被着されている場合には、手垢や油が汚れの原因となる。
【０００６】
埃が付着している場合には、埃が白っぽいため液晶表示部の表示が暗い方が汚れを識別しやすい。逆に手垢や油が付着している場合には、液晶表示部が明るい方が汚れを識別しやすい。すなわち、埃を清掃しやすい画面と手垢等の汚れを清掃しやすい画面とでは相違するため、上記従来のものでは全ての種類の汚れを効率よく拭き取ることができないという不具合が生じる。
【０００７】
そこで本発明は、上記の問題点に鑑み、全ての種類の汚れに対して掃除のしやすい掃除モードを備えた液晶表示装置を提供することを課題とする。
【課題を解決するための手段】
【０００８】
上記課題を解決するために本発明による液晶表示装置は、バックライトを備えた液晶表示部と、この液晶表示部の表示内容を制御すると共にバックライトの点灯を制御する制御部と、制御部に対して操作信号を入力する操作部とを備え、操作部に対する所定の操作による操作信号が制御部に入力されると、制御部は液晶表示部の表面の掃除モードとして、液晶表示部に明部の面積と暗部の面積とがほぼ同じになる模様を表示させ、所定時間毎に明部と暗部とを反転させることを特徴とする。
【０００９】
埃などの白い汚れは液晶表示部が暗い状態で識別しやすい。手垢などの黒い汚れは液晶表示部が明るい状態で識別しやすい。したがって、液晶表示部を明暗反転すれば白い汚れと黒い汚れとの双方を識別することができ、液晶表示部の表面の汚れを確実に拭き取ることができる。
【００１０】
なお、液晶表示部の前面を同時に明るくしたり暗くしてもよいが、液晶表示部の画面全体が一様な状態で明暗反転すれば、液晶表示部が故障したのではないかと使用者が錯覚するおそれが生じる。このような場合には、上記掃除モード時に、液晶表示部に明部の面積と暗部の面積とがほぼ同じになる模様を表示させ、所定時間毎に明部と暗部とを反転させればよい。模様が表示されれば、使用者は液晶表示部に表示されている模様を意図的なものと判断し、故障が生じたとの錯覚を防止することができる。
【００１１】
また、上記課題を解決するために本発明による他の液晶表示装置は、バックライトを備えた液晶表示部と、この液晶表示部の表示内容を制御すると共にバックライトの点灯を制御する制御部と、制御部に対して操作信号を入力する操作部とを備え、操作部に対する所定の操作による操作信号が制御部に入力されると、制御部は液晶表示部の表面の掃除モードとして、液晶表示部に明部と暗部とからなる縞模様を表示させ、その縞模様を移動させることを特徴とする。
【発明の効果】
【００１２】
以上の説明から明らかなように、本発明は、掃除モードの液晶表示部の表示状態を所定時間毎に明暗反転させるので、あらゆる種類の汚れを識別しやすくすることができ、これにより液晶表示部の表面に付着した汚れを全て確実に掃除することができる。
【発明を実施するための最良の形態】
【００１３】
図１を参照して、１は本発明による液晶表示装置の一例である台所リモコンである。この台所リモコン１は台所の壁面に取り付けられ、図外の給湯装置の作動を制御するものである。本実施の形態ではこの台所リモコン１は浴室リモコンやインターホン装置に接続され、浴室リモコンや玄関子機からの呼出の応じて、浴室内の入浴者や玄関先の来訪者と会話ができる機能を有している。
【００１４】
台所リモコン１の前面には液晶表示部２が設けられている。この液晶表示部２には後方にバックライトが備えられており、液晶表示部に文字や画像を表示させる場合にはバックライトが点灯する。このバックライトの点灯制御や液晶表示部に表示させる表示制御は共に台所リモコン１に内蔵されている制御部によって行われる。本実施の形態では更に液晶表示部２の表面にタッチセンサを被着させ、液晶表示部２に表示されるアイコンを使用者が指先等でタッチすると、選択されたアイコンを特定する信号が制御部に入力されるように構成されている。
【００１５】
液晶表示部２の下方にはスイッチ類が設けられており、液晶表示部２の表面をタッチして操作するほか、これらスイッチ３を押し操作することによって制御部に信号を入力させる場合もある。
【００１６】
本実施の形態では、液晶表示部２に掃除用のアイコン２１を表示させ、このアイコン２１をタッチするとタッチセンサから信号が出力され、制御部は掃除用のアイコン２１がタッチされたことを検知するようにした。なお、本実施の形態のように液晶表示部２の表面にタッチセンサを被着させたものではアイコン２１をタッチすることにより掃除モードに切り替わるように構成してもよいが、タッチセンサが液晶表示部２に被着されていないタイプの台所リモコンでは、スイッチ３の他に掃除モードへ移行する専用のスイッチを別途設けてもよく、あるいは既存のスイッチ３の複数同時押しや長押し等の操作により掃除モードに切り替わるようにしてもよい。
【００１７】
上記のいずれかの操作で制御部に掃除モードに移行する操作が行われた旨の信号が入力されると、制御部は所定時間掃除モードに移行し、その後通常の操作モードに復帰するようにした。
【００１８】
掃除モードに移行すると、例えば図２に示すように、液晶表示部２の表示を、何も表示されない明状態と、同じく何も表示されない暗状態とを所定時間毎に繰り返し表示するようにする。なお、図２の下側に示す暗状態の表示の際に、バックライトを点灯させたままの状態で液晶表示部の表示を図示のように暗状態にしてもよいが、バックライトを消灯することにより暗状態にしてもよい。
【００１９】
掃除モードに移行した際の表示画面を図２に示すように液晶表示部２の全面が一様に明暗状態になると、特に暗状態となった際に使用者は台所リモコン１が故障したのではないかと錯覚するおそれが生じる。そのため、掃除モードに移行した際の表示は全面が一様になるほか、何らかの模様等を表示するようにしてもよい。
【００２０】
例えば図３に示すように、液晶表示部２の表示を、明部部と暗部とからなる市松模様にして、明部と暗部とを各々所定時間毎に明暗反転させるようにしてもよい。なお、明暗反転は一気に反転させてもよいが、緩やかに明暗反転するように構成してもよい。
【００２１】
また、図３に示すように模様を表示させる場合にあっては、図４に示すように縞模様を表示させ、明部と暗部とをその場で反転させるのではなく、部分的に反転タイミングをずらすことにより、縞模様が上下方向に移動して見えるようにしてもよい。
【００２２】
上記各実施に形態で、掃除モードに移行してから所定時間が経過すると自動的に元の操作モードに復帰するが、復帰のタイミングが近づくと明暗反転の周期を短くして、使用者にモード復帰が近づいていることを報知するように構成してもよい。
【００２３】
なお、本発明は上記した形態に限定されるものではなく、本発明の要旨を逸脱しない範囲内において種々の変更を加えてもかまわない。
【図面の簡単な説明】
【００２４】
【図１】本発明の一実施の形態の構成を示す図
【図２】液晶表示部に表示させる第１の形態
【図３】液晶表示部に表示させる第２の形態
【図４】液晶表示部に表示させる第３の形態
【符号の説明】
【００２５】
１ 台所リモコン
２ 液晶表示部
３ スイッチ
２１ アイコン
【図１】
0004913022.tif 000002
【図２】
0004913022.tif 000003
【図３】
0004913022.tif 000004
【図４】
0004913022.tif 000005